【手続補正書】
【提出日】平成20年9月24日(2008.9.24)
【手続補正１】
【補正対象書類名】明細書
【補正対象項目名】特許請求の範囲
【補正方法】変更
【補正の内容】
【特許請求の範囲】
【請求項１】  キャピラリー電気泳動によって分析物を分離するための組成物であって、該組成物は、以下：
約１，０００，０００ダルトン（Ｄａ）より大きくかつ約３，０００，０００Ｄａ以下の分子量を有し、かつ２５℃で１，０００センチポアズ未満の粘度を有する非架橋アクリルアミドポリマーを含有する、シービング成分；ならびに、
Ｎ，Ｎ−二置換ポリアクリルアミドおよびＮ−置換ポリアクリルアミドからなる群より選択される１種以上の非架橋ポリマーを含有する表面相互作用成分であり、ここで、該Ｎ−置換基が、Ｃ１〜Ｃ３アルキル、ハロ置換のＣ１〜Ｃ３アルキル、メトキシ置換のＣ１〜Ｃ３アルキル、およびヒドロキシル置換のＣ１〜Ｃ３アルキルからなる群より選択される、表面相互作用成分；
を含有し、該シービング成分および該表面相互作用成分が同じかまたは異なり；
該組成物は、架橋ポリマーゲルを含まない、組成物。
【請求項２】  前記組成物が、２５℃にて６００センチポイズ未満の粘度を有する、請求項１に記載の組成物。
【請求項３】  前記１種以上の非架橋ポリマーが、ポリ（Ｎ，Ｎ−ジメチルアクリルアミド）を含有する、請求項１に記載の組成物。
【請求項４】  少なくとも１種の変性剤をさらに含有する、請求項１に記載の組成物。
【請求項５】  前記少なくとも１種の変性剤が、少なくとも１種のホルムアミド、尿素、および２−ピロリジノンからなる群より選択される、請求項４に記載の組成物。
【請求項６】  前記少なくとも１種の変性剤が尿素を含む、請求項５に記載の組成物。
【請求項７】  キャピラリー電気泳動によって分析物を分離するための組成物であって、該組成物は、以下：
約１，０００，０００Ｄａより大きくかつ約３，０００，０００Ｄａ以下の分子量を有し、かつ２５℃にて１，０００センチポイズ未満の粘度を有する、非架橋アクリルアミドポリマーを含有する、シービング成分；
ポリ（Ｎ，Ｎ−ジメチルアクリルアミド）を含有する、表面相互作用成分；ならびに、
尿素を含む変性剤；
を含有し、架橋ポリマーゲルを含まない、組成物。
【請求項８】  前記粘度が、２５℃にて６００センチポイズ未満である、請求項７に記載の組成物。
【請求項９】  キャピラリー電気泳動要素であって、以下：
コーティングされていないキャピラリー；
該コーティングされていないキャピラリー内に配置された分析物を分離するための組成物であって、以下：約１，０００，０００Ｄａより大きくかつ約３，０００，０００Ｄａ以下の分子量を有し、かつ２５℃にて１，０００センチポイズ未満の粘度を有する非架橋アクリルアミドポリマーを含有する、シービング成分；ならびに表面相互作用成分、を含有する、組成物；
を備え、
ここで、該表面相互作用成分が、１種以上の非架橋ポリマーの溶液を含有し；
そして、該キャピラリー電気泳動要素は、架橋ポリマーゲルを含まない、キャピラリー電気泳動要素。
【請求項１０】  前記組成物が、２５℃にて６００センチポイズ未満の粘度を有する、請求項９に記載のキャピラリー電気泳動要素。
【請求項１１】  請求項９に記載のキャピラリー電気泳動要素であって、ここで、前記１種以上の表面相互作用成分の非架橋ポリマーが、Ｎ，Ｎ−二置換ポリアクリルアミドおよびＮ−置換ポリアクリルアミドからなる群より選択され、ここで、該Ｎ−置換基が、Ｃ１〜Ｃ３アルキル、ハロ置換のＣ１〜Ｃ３アルキル、メトキシ置換のＣ１〜Ｃ３アルキル、およびヒドロキシル置換のＣ１〜Ｃ３アルキルからなる群より選択される、キャピラリー電気泳動要素。
【請求項１２】  前記表面相互作用成分の非架橋ポリマーが、ポリ（Ｎ，Ｎ−ジメチルアクリルアミド）である、請求項１１に記載のキャピラリー電気泳動要素。
【請求項１３】  前記組成物が、少なくとも１種の変性剤をさらに含有する、請求項９に記載のキャピラリー電気泳動要素。
【請求項１４】  前記少なくとも１種の変性剤が、少なくとも１種のホルムアミド、尿素、および２−ピロリジノンからなる群より選択される、請求項１３に記載のキャピラリー電気泳動要素。
【請求項１５】  前記少なくとも１種の変性剤が尿素を含有する、請求項１４に記載のキャピラリー電気泳動要素。
【請求項１６】  前記コーティングされていないキャピラリーが、シリカ、縮合シリカ、石英、ケイ酸ベースのガラス、リン酸塩ガラス、またはアルミナ含有ガラスを含む、請求項９に記載のキャピラリー電気泳動要素。
【請求項１７】  前記コーティングされていないキャピラリーがプラスチック基板を含む、請求項９に記載のキャピラリー電気泳動要素。
【請求項１８】  請求項９に記載のキャピラリー電気泳動要素であって、前記組成物が、以下：
約１，０００，０００Ｄａより大きくかつ約３，０００，０００Ｄａ以下の分子量を有し、かつ２５℃にて６００センチポイズ未満の粘度を有する直鎖アクリルアミドポリマーを含有する、シービング成分；
ポリ（Ｎ，Ｎ−ジメチルアクリルアミド）を含有する、表面相互作用成分；ならびに、
尿素を含有する、変性剤；
を含有し、該組成物が架橋ポリマーゲルを含有しない、キャピラリー電気泳動要素。
【請求項１９】  前記コーティングされていないキャピラリーが、シリカ、縮合シリカ、石英、ケイ酸ベースのガラス（例えば、ホウケイ酸ガラス）、リン酸塩ガラス、またはアルミナ含有ガラスを含む、請求項１８に記載のキャピラリー電気泳動要素。
【請求項２０】  前記コーティングされていないキャピラリーがプラスチック基板を含む、請求項１８に記載のキャピラリー電気泳動要素。
【請求項２１】  キャピラリー電気泳動によって分析物を分離するための方法であって、該方法は、組成物におけるキャピラリー電気泳動によって該分析物を分離する工程を包含し、該組成物が、以下：
約１，０００，０００Ｄａより大きくかつ約３，０００，０００Ｄａ以下の分子量を有し、かつ２５℃で１，０００センチポアズ未満の粘度を有する非架橋アクリルアミドポリマーを含有する、シービング成分；ならびに、
Ｎ，Ｎ−二置換ポリアクリルアミドおよびＮ−置換ポリアクリルアミドからなる群より選択される１種以上の非架橋ポリマーを含有する、表面相互作用成分であり、ここで、該Ｎ−置換基が、Ｃ１〜Ｃ３アルキル、ハロ置換のＣ１〜Ｃ３アルキル、メトキシ置換のＣ１〜Ｃ３アルキル、およびヒドロキシル置換のＣ１〜Ｃ３アルキルからなる群より選択される、表面相互作用成分；
を含有し、ここで該シービング成分および該表面相互作用成分が同じかまたは異なり；そしてここで、該組成物が架橋ポリマーゲルを含まない、方法。
【請求項２２】  複数のコーティングされていないキャピラリーを用いて並列に行われる、請求項２１に記載の方法。
【請求項２３】  前記非架橋アクリルアミドポリマーが、２５℃にて１０００センチポイズ未満の粘度を有する、請求項２１に記載の方法。
【請求項２４】  前記非架橋アクリルアミドポリマーが、２５℃にて５００センチポイズ未満の粘度を有する、請求項２１に記載の方法。
【請求項２５】  前記組成物が少なくとも１種の変性剤をさらに含む、請求項２１に記載の方法。
【請求項２６】  前記少なくとも１種の変性剤が、少なくとも１種のホルムアミド、尿素、および２−ピロリジノンからなる群より選択される、請求項２５に記載の方法。
【請求項２７】  前記少なくとも１種の変性剤が尿素を含む、請求項２６に記載の方法。
【請求項２８】  キャピラリー電気泳動によって分析物を分離するための方法であって、請求項９に記載のキャピラリー電気泳動要素を用いたキャピラリー電気泳動によって、該分析物を分離する工程を包含する、方法。
【請求項２９】  複数のコーティングされていないキャピラリーを用いて並列に行われる、請求項２８に記載の方法。
【請求項３０】  前記コーティングされていないキャピラリーが、シリカ、縮合シリカ、石英、ケイ酸ベースのガラス、リン酸塩ガラス、またはアルミナ含有ガラスを含む、請求項２９に記載の方法。
【請求項３１】  前記コーティングされていないキャピラリーがプラスチック基板を含む、請求項２９に記載の方法。
【請求項３２】  キャピラリー電気泳動によって分析物を分離するための方法であって、請求項１８に記載のキャピラリー電気泳動要素を用いたキャピラリー電気泳動によって、該分析物を分離する工程を包含する、方法。
【請求項３３】  複数のキャピラリーを用いて並列に行われる、請求項３２に記載の方法。
【請求項３４】  前記キャピラリーが、シリカ、縮合シリカ、石英、ケイ酸ベースのガラス、リン酸塩ガラス、またはアルミナ含有ガラスを含む、請求項３３に記載の方法。
【請求項３５】  前記キャピラリーがプラスチック基板を含む、請求項３３に記載の方法。
【請求項３６】  キャピラリー電気泳動によって分析物を分離するための方法であって、該方法は、以下：
第一端部および第二端部を有するコーティングされていないキャピラリーに、組成物を挿入する工程であり、該組成物は、約１，０００，０００Ｄａより大きくかつ約３，０００，０００Ｄａ以下の分子量を有し、かつ２５℃で１，０００センチポアズ未満の粘度を有する非架橋アクリルアミドポリマーを含有する、シービング成分、ならびに、Ｎ，Ｎ−二置換ポリアクリルアミドおよびＮ−置換ポリアクリルアミドからなる群より選択される１種以上の非架橋ポリマーを含有する、表面相互作用成分を含有し、ここで、該Ｎ−置換基は、Ｃ１〜Ｃ３アルキル、ハロ置換のＣ１〜Ｃ３アルキル、メトキシ置換のＣ１〜Ｃ３アルキル、およびヒドロキシル置換のＣ１〜Ｃ３アルキルからなる群より選択され；ここで、該シービング成分および該表面相互作用成分が同じかまたは異なり；ここで、該組成物が架橋ポリマーゲルを含まない、工程；
異なるサイズの分析物のサンプルを該キャピラリーに充填する工程；ならびに、
該サンプル中の該異なるサイズの分析物が該キャピラリーを通って移動するように、該キャピラリーの該第一端部と該第二端部との間に電場を印加し、それによって該分析物を分離する、工程、
を包含する、方法。
【請求項３７】  前記組成物が、少なくとも１種の変性剤をさらに含有する、請求項３６に記載の方法。
【請求項３８】  前記少なくとも１種の変性剤が尿素である、請求項３７に記載の方法。
【請求項３９】  前記表面相互作用の非架橋ポリマーが、ポリ（Ｎ，Ｎ−ジメチルアクリルアミド）である、請求項３６に記載の方法。
【請求項４０】  複数のコーティングされていないキャピラリーを用いて並列に行われる、請求項３６に記載の方法。
【請求項４１】  前記コーティングされていないキャピラリーが、シリカ、縮合シリカ、石英、ケイ酸ベースのガラス、リン酸塩ガラス、またはアルミナ含有ガラスを含む、請求項４０に記載の方法。
【請求項４２】  前記コーティングされていないキャピラリーがプラスチック基板を含む、請求項４０に記載の方法。
【請求項４３】  キャピラリー電気泳動によって分析物を分離するためのキットであって、該キットは、組成物を備え、該組成物は、以下：
約１，０００，０００Ｄａより大きくかつ約３，０００，０００Ｄａ以下の分子量を有し、かつ２５℃で１０００センチポイズ未満の粘度を有する非架橋アクリルアミドポリマーを含有する、シービング成分；ならびに、
Ｎ，Ｎ−二置換ポリアクリルアミドおよびＮ−置換ポリアクリルアミドからなる群より選択される１種以上の非架橋ポリマーを含有する、表面相互作用成分であって、ここで、該Ｎ−置換基が、Ｃ１〜Ｃ３アルキル、ハロ置換のＣ１〜Ｃ３アルキル、メトキシ置換のＣ１〜Ｃ３アルキル、およびヒドロキシル置換のＣ１〜Ｃ３アルキルからなる群より選択される、表面相互作用成分；
を含有し、ここで、該シービング成分および該表面相互作用成分が同じかまたは異なり；ここで、該組成物が架橋剤を含まない、キット。
【請求項４４】  キャピラリー電気泳動によって分析物を分離するためのキットであって、該キットは、組成物を備え、該組成物は、約１，０００，０００Ｄａより大きくかつ約３，０００，０００Ｄａ以下の分子量を有し、かつ２５℃にて１０００センチポイズ未満の粘度を有する非架橋アクリルアミドポリマーを含有する、シービング成分を含有し、ここで、該組成物が架橋ポリマーゲルを含有しない、キット。
【請求項４５】  請求項４４に記載のキットであって、Ｎ，Ｎ−二置換ポリアクリルアミドおよびＮ−置換ポリアクリルアミドからなる群より選択される１種以上の非架橋ポリマーを含有する、表面相互作用成分をさらに備え、ここで、該Ｎ−置換基が、Ｃ１〜Ｃ３アルキル、ハロ置換のＣ１〜Ｃ３アルキル、メトキシ置換のＣ１〜Ｃ３アルキル、およびヒドロキシル置換のＣ１〜Ｃ３アルキルからなる群より選択される、キット。
【請求項４６】  前記表面相互作用成分が、ポリ（Ｎ，Ｎ−ジメチルアクリルアミド）である、請求項４５に記載のキット。
【請求項４７】  少なくとも１種のホルムアミド、尿素、および２−ピロリジノンからなる群より選択される少なくとも１種の変性剤をさらに備える、請求項４６に記載のキット。
【請求項４８】  前記少なくとも１種の変性剤が尿素である、請求項４７に記載のキット。
【請求項４９】  キャピラリー電気泳動によって分析物を分離するための組成物であって、約１，０００，０００ダルトン（Ｄａ）より大きくかつ約３，０００，０００Ｄａ以下の分子量を有し、かつ２５℃で１，０００センチポアズ未満の粘度を有する非架橋アクリルアミドポリマーを含有する、シービング成分を含有し、該組成物は、架橋ポリマーゲルを含有しない、組成物。